(57)【要約】    【課題】貯留浸透能力が高く、機械的強度と軽量性とを兼ね備えた構造体、及び、それらを用いた雨水等貯留浸透施設を提供する。    【解決手段】仕切部材４のそれぞれは、扁平状であって、幅方向において相対向する２辺を有し、互いに間隔を隔てて配置されている。側板部材（３Ａ、３Ｂ）、（３Ｃ、３Ｄ）は、扁平状であって、仕切部材４の２辺に結合されている。面板部材１のそれぞれは、相対向する２辺のうちの一辺が、凹部１３を有し、他辺は凹部１３と対応する凸部１４を有し、隣接する面板部材１，１において、一方の凹部１３に、他方の凸部１４を嵌め込む凹凸嵌合により全体として一体化されている。仕切板４及び側板部材（３Ａ、３Ｂ）、（３Ｃ、３Ｄ）は、高さ方向の辺が、隣接する面板部材１，１の間で、面板部材３の一面上に設けられた２つの突起１５−１６の間に凹凸嵌合される。【選択図】      図１
2006037482.tif 000002
【特許請求の範囲】
【請求項１】
複数の仕切部材と、複数の側板部材と、複数の面板部材とを含む雨水等貯留浸透施設用構造体であって、
前記仕切部材のそれぞれは、扁平状であって、幅方向において相対向する２辺を有し、互いに間隔を隔てて配置されており、
前記側板部材は、扁平状であって、前記仕切部材の前記２辺に結合されており、
前記面板部材のそれぞれは、相対向する２辺のうちの一辺が、凹部を有し、他辺は凹部と対応する凸部を有し、隣接する面板部材において、一方の凹部に、他方の凸部を嵌め込む凹凸嵌合により全体として一体化されており、
前記仕切板及び前記側板部材は、高さ方向の辺が、隣接する面板部材の間で、前記面板部材の一面上に設けられた２つの突起の間に凹凸嵌合される、
雨水等貯留浸透施設用構造体。
【請求項２】
雨水等貯留浸透施設用構造体と、遮水層とを含む雨水等貯留浸透施設であって、
前記雨水等貯留浸透施設用構造体は、請求項１に記載されたものであって、地中に埋設されており、
前記遮水層は、雨水等貯留浸透施設用構造体の周囲に設けられている、
雨水等貯留浸透施設。
【請求項３】
雨水等貯留浸透施設用構造体と、透水層とを含む雨水等貯留浸透施設であって、
前記雨水等貯留浸透施設用構造体は、請求項１に記載されたものであって、地中に埋設されており、
透水層は、雨水等貯留浸透施設用構造体の周囲に設けられている
雨水等貯留浸透施設。
【請求項４】
請求項２又は３の何れかに記載された雨水等貯留浸透施設であって、前記雨水等貯留浸透施設用構造体は複数であり、長さ方向、幅方向、及び、高さ方向に積み重ねられている雨水等貯留浸透施設。
【発明の詳細な説明】
【技術分野】
【０００１】
本発明は、雨水等貯留浸透施設用構造体（以下、構造体と称する）、及び、雨水等貯留浸透施設に関する。本発明に係る雨水等貯留浸透施設は、雨水等の貯留施設と、浸透施設との両者を含む。
【背景技術】
【０００２】
この種の雨水等貯留浸透施設は、集水した雨水等の貯留空間として地中に埋設される雨水等貯留施設と、集水した雨水等を一時的に貯留してのち、地中に緩やかに浸透させて排出する浸透施設とを含む。雨水等貯留浸透施設は、雨水等の有効利用の目的、雨水等が河川へ急激に流入することにより発生する都市型浸水災害を防止する目的、又は、地下水を涵養し地盤沈下を抑止する目的で、地中に埋設される。
【０００３】
上述した雨水等貯留浸透施設は、雨水等貯留浸透の目的を達成する手段として、貯留空間効率の高い構造体を内蔵しているが、施設全体の貯留浸透能力を高めるためには、構造体一個当たりの容量をできるだけ大きくしなければならない。
【０００４】
上述した雨水等貯留浸透施設及びこれに用いられる構造体について、特許文献１乃至３に示すように、従来より種々のタイプのものが提案され、実用に供されているが、一個当たりの構造体の容量は、必ずしも大きくはない。
【特許文献１】特開２０００−１９９２４６号公報
【特許文献２】特開２００１−１１５５０８号公報
【特許文献３】特開２００３−０３４９７１号公報
【発明の開示】
【発明が解決しようとする課題】
【０００５】
本発明の課題は、雨水等貯留浸透に供される容量を、著しく増大しえる構造体、及び、雨水等貯留浸透施設を提供することである。
【課題を解決するための手段】
【０００６】
上述した課題を解決するため、本発明に係る構造体は、複数の仕切部材と、複数の側板部材と、複数の面板部材とを含む。前記仕切部材のそれぞれは、扁平状であって、幅方向において相対向する２辺を有し、互いに間隔を隔てて配置されている。
【０００７】
前記側板部材は、扁平状であって、前記仕切部材の前記２辺に結合されている。前記面板部材のそれぞれは、相対向する２辺のうちの一辺は、凹部を有し、他辺は凹部と対応する凸部を有し、隣接する面板部材において、一方の凹部に、他方の凸部を嵌め込む凹凸嵌合により全体として一体化されている。前記仕切板および側板部材は、高さ方向の辺が、隣接する面板部材の間で、前記面板部材の一面上に設けられた２つの突起の間に凹凸嵌合される。
【０００８】
本発明に係る構造体は、透水層又は遮水層と組み合わされ、雨水等貯留浸透施設を構成する。雨水等貯留浸透施設において、構造体は、地中に埋設される。透水層又は遮水層は、構造体の周囲に設けられている。透水層を用いた場合は雨水等浸透施設が構成され、遮水層を用いた場合は雨水等貯留施設が構成される。
【０００９】
この場合、仕切部材のそれぞれは、扁平状であって、互いに間隔を隔てて配置されており、その幅方向の２辺に、扁平状の側板部材が結合されている。従って、側板部材の長さに対応した数の仕切部材を、間隔を隔てて配置し、雨水等貯留浸透に供される容量を、著しく増大し得る。
【００１０】
しかも本発明に係る構造体は、複数の面板部材を備えており、面板部材のそれぞれは、相対向する２辺のうちの一辺は、凹部を有し、他辺は凹部と対応する凸部を有し、隣接する面板部材において、一方の凹部に、他方の凸部を嵌め込む凹凸嵌合により全体として一体化されている。仕切板は、高さ方向の辺が、隣接する面板部材の間で、前記面板部材の一面上に設けられた２つの突起の間に凹凸嵌合される。従って、面板部材と仕切板との凹凸嵌合構造により、組立が容易でありながら、機械的組立強度の高い構造体を得ることができる。
【００１１】
更に、仕切部材、側板部材、面板部材は何れも扁平状である。従って、これらは、嵩張ることのない態様で輸送することができるから、輸送コストを低減することができる。また、軽量であるから、構造体への組立作業を容易に実行することができる。
【００１２】
本発明の他の目的、構成及び利点については、添付図面を参照し、更に詳しく説明する。図面は単なる例示に過ぎない。
【発明の効果】
【００１３】
以上述べたように、本発明によれば、作業員が内部に侵入して、堆積物排除などの保守管理を行うことができる構造体、及び、雨水等貯留浸透施設を提供すること
【発明を実施するための最良の形態】
【００１４】
図１は本発明に係る構造体の斜視図である。図示された構造体は、側板部材（３Ａ、３Ｂ）、（３Ｃ、３Ｄ）と、複数の仕切部材４と、複数の面板部材１を含む。これらは、適当なプラスチック材料、または、プラスチック材料と無機粉体とを混合した複合材料を用いた成型品として構成することができる。
【００１５】
仕切部材４は、扁平状であって、幅方向において相対向する２辺を有している。貫通孔４１は一面から他面に貫通している。仕切部材４は、その複数個が、長さ方向に間隔を隔てて配置されている。側板部材（３Ａ、３Ｂ）、（３Ｃ、３Ｄ）は、扁平状であって、仕切部材４の幅方向の相対向する２辺に結合されている。
【００１６】
上述のように、仕切部材４のそれぞれは、扁平状であって、互いに間隔を隔てて配置されており、その幅方向の２辺に、扁平状の側板部材（３Ａ、３Ｂ）、（３Ｃ、３Ｄ）が結合されている。従って、側板部材（３Ａ、３Ｂ）、（３Ｃ、３Ｄ）の長さに対応した数の仕切部材４を、間隔を隔てて配置し、雨水等貯留浸透に供される容量を、著しく増大し得る。
【００１７】
面板部材１は、図２に拡大して示すように、全体形状がほぼ正四角形状であり、隣接する２辺のほぼ中間部に凹部１３を設け、他の隣接する２辺の中間部に凸部１４を設けてある。凹部１３の両側には、凸部１４が設けられており、凸部１４の両側には凹部１３が設けられている。凹部１３及び凸部１４は、いわゆる「鳩尾継」を構成し得る形状を持つ。従って、隣接する面板部材１、１において、一方の凹部１３に、他方の凸部１４を嵌め込む凹凸嵌合により、全体として一体化され、平面化された底板配置構造を実現できる。
【００１８】
実施例とは異なって、面板部材１は、他の角形状、例えば、６角形状、８角形状等であってもよい。凹部及び凸部は面板部材１の外形形状に合わせてその形成位置が選定される。
【００１９】
面板部材１の一面または両面には、各辺に沿って、２つ１組の突起１５、１６が設けられている。図３は突起１５、１６の部分を拡大して示す部分断面図である。図示実施例では、凸部１４の上において、面板部材１の両面の相対する位置に、間隔を隔てて、２本の突起１５、１６を設けてある。
【００２０】
図４は突起１５、１６の別の例を示す部分拡大断面図である。この実施例では、２本の突起１５、１６は、上端に内向きフック部を有する。
【００２１】
図示実施例の構造体を構成するには、面板部材１を、底板として用い、仕切部材４及びその上に側板部材（３Ａ、３Ｂ）、（３Ｃ、３Ｄ）を凹凸嵌合により結合し、更に、その上に、別の面板部材１を、天板として凹凸嵌合させるだけでよい。このため、組立作業が極めて容易になる。
【００２２】
しかも、面板部材１において、相対向する２辺のうちの一辺は、凹部１３を有し、他辺は凹部１３と対応する凸部１４を有する。従って、隣接する面板部材１、１において、一方の凹部１３に、他方の凸部１４を嵌め込む凹凸嵌合により全体として一体化され、平面化された底板配置構造を実現できる。このように、底板となる面板部材１を、凹凸嵌合によって敷きつめて行くので、その組立作業が極めて容易になる。面板部材１は、構造体として要求される長さに応じて、必要な枚数だけ配置され、かつ、相互に凹凸嵌合により結合する。
【００２３】
面板部材１の一面には、側板部材（３Ａ、３Ｂ）、（３Ｃ、３Ｄ）及び仕切板４の一辺が、凹凸嵌合により結合される。凹凸嵌合は、面板部材１の一面上に設けられた２つの突起１５、１６の間に、側板部材（３Ａ、３Ｂ）、（３Ｃ、３Ｄ）及び仕切板４の一辺を挿入することによって実行される。このように、面板部材１、側板部材（３Ａ、３Ｂ）、（３Ｃ、３Ｄ）及び仕切板４の結合も、凹凸嵌合によるので、その組立作業が極めて容易になる。
【００２４】
実施例において、側板部材（３Ａ、３Ｂ）、（３Ｃ、３Ｄ）及び仕切板４は、隣接する面板部材１において共用される。従って、コスト低減、組立容易化、及び、組立迅速化を図ることができる。
【００２５】
側板部材（３Ａ、３Ｂ）、（３Ｃ、３Ｄ）及び仕切板４の上には、天板となる面板部材１（図示しない）が、凹凸嵌合により結合される。このため、側板部材（３Ａ、３Ｂ）、（３Ｃ、３Ｄ）に対する面板部材１の組立作業も極めて容易になる。
【００２６】
しかも、面板部材１において、相対向する２辺のうちの一辺は凹部１３を有し、他辺は凹部１３と対応する凸部１４を有するから、一方の面板部材１の凹部１３に、他方の面板部材１の凸部１４を嵌め込み、凹凸嵌め合いにより全体として一体化され、平面化された天板の配置構造を実現できる。このため、組立作業が極めて容易になる。
【００２７】
更に、仕切部材４、側板部材（３Ａ、３Ｂ）、（３Ｃ、３Ｄ）、面板部材１は何れも扁平状である。従って、これらは、嵩張ることのない態様で輸送することができるから、輸送コストを低減することができる。また、軽量であるから、構造体への組立作業を容易に実行することができる。
【００２８】
図５は側板部材（３Ａ、３Ｂ）、（３Ｃ、３Ｄ）と仕切部材４との組立構造を示す斜視図、図６は図５に示した組立構造の分解斜視図である。図示するように、２つの側板部材（３Ａ、３Ｂ）、（３Ｃ、３Ｄ）は、仕切部材４の幅方向の２辺と結合されている。結合手段は、機械的な結合手段、特に、凹凸嵌合が、組み立ての容易性及び機械的結合強度の観点から好ましい。
【００２９】
仕切部材４は、外枠部４２を有し、外枠部４２によって囲まれた面内に貫通孔４１を有する。また、貫通孔４１を構成するリング部４４から、外側に向かって、放射状に伸びる複数本のリブ４５を有する。貫通孔４１は、人間が潜り抜けることができる程度の大きさを有する。側板部材（３Ａ、３Ｂ）、（３Ｃ、３Ｄ）も、扁平状であって、一面から他面に貫通する貫通孔３１を有する。
【００３０】
図示実施例では、側板部材（３Ａ、３Ｂ）、（３Ｃ、３Ｄ）は、２種類のタイプを含んでいる。第１の側板部材３Ａ及び第２の側板部材３Ｃが、第１のタイプに属し、第１の側板部材３Ｂ及び第２の側板部材３Ｄが第２のタイプに属している。
【００３１】
第１のタイプに属する第１の側板部材３Ａ及び第２の側板部材３Ｃにおいて、貫通孔３１は、人間が潜り抜けることができる大きさを有する。第２のタイプの第１の側板部材３Ｂ及び第２の側板部材３Ｄの貫通孔３１は人間が潜り抜けることを目的としたものではなく、洗浄用ホースの挿入口などに用いられる。
【００３２】
構造体としての長さ、幅及び高さは、面板部材１の敷設枚数の選択により、任意に変更できる。従って、実際的な場面では、要求される長さ、幅及び高さの構造体を容易に実現し得る。更に、段数を増大させて、容積を増大させることもできる。
【００３３】
たとえば、図７に図示するように、図５及び図６に示した構造体を直接に複数段積み重ねた後、面板板を配置する構造を採用することができる。
【００３４】
上述した構造体は、雨水等貯留浸透施設を構築するために用いられる。図８、図９は本発明に係る構造体Ｆを地中に埋設した雨水浸透設備の構成を概略的に示す図である。本発明に係る構造体Ｆは地中に埋設されており、上方側が土、砂利、コンクリートまたはアスファルト等の層８によって覆われている。構造体Ｆの周囲は、周知の技術に従って、不織布等の保護層６によって覆い、構造体Ｆの内部への土砂の流入を阻止する。
【００３５】
構造体Ｆには、流入管５が挿着されている。この流入管５は構造体Ｆに含まれる仕切部材４に挿着されている。流入管５の一端は、集水桝７に連なっている。従って、集水桝７に集められた雨水は流入管５の一端から、構造体Ｆに流入する。流入管５から構造体Ｆに流入した雨水は地中に浸透する。
【００３６】
構造体Ｆは、面板部材１、側板部材（３Ａ、３Ｂ）、（３Ｃ、３Ｄ）及び面板部材１により構成された組立体を含み、内部の空間容積が極めて大きくなる。このため、砕石を敷きつめる場合と比較して、空間率が極めて高く、雨水貯留及び雨水浸透の能力の高い構造体が得られる
しかも、仕切部材４、第１の側板部材、及び、第２の側板部材は、それぞれ貫通孔３１，４１を含む。貫通孔４１は、一面から他面に貫通している。従って、仕切部材４、及び、側板部材（３Ａ、３Ｂ）、（３Ｃ、３Ｄ）に設けられた貫通孔３１，４１の孔径を、作業員が通過できる程度の大きさに設計することにより、作業員が貫通孔３１，４１を通じて雨水等貯留浸透施設の内部に侵入し、内部に堆積した塵芥等の堆積物を除去することができる。
【００３７】
また、構造体Ｆに含まれる仕切部材４、側板部材（３Ａ、３Ｂ）、（３Ｃ、３Ｄ）は、それぞれ、扁平状である。従って、仕切部材４、側板部材（３Ａ、３Ｂ）、（３Ｃ、３Ｄ）は、嵩張ることのない態様で輸送することができるから、輸送コストを低減することができる。また、仕切部材４、側板部材（３Ａ、３Ｂ）、（３Ｃ、３Ｄ）は、軽量であるから、構造体Ｆを組み立てる際の取り扱いが容易であり、組立作業を容易に実行することができる。
【図面の簡単な説明】
【００３８】
【図１】本発明に係る構造体の分解斜視図である。
【図２】図１に図示した構造体の組み合わせる工程を説明する図である。
【図３】図１に示した構造体の組み合わせ工程を説明する図である。
【図４】図１に示した構造体の組み合わせ工程を説明する図である。
【図５】本発明に係る構造体において、仕切部材と側板部材の組み合わせ構造を示す斜視図である。
【図６】本発明に係る構造体において、仕切部材と側板部材の組み合わせ構造を示す分解斜視図である。
【図７】本発明に係る構造体の別の組立構造を示す斜視図である。
【図８】本発明に係る構造体を地中に埋設した雨水浸透設備の平面図である。
【図９】図８の９−９線に沿った平面断面図である。
【符号の説明】
【００３９】
１                面板部材
３                側板部材
４                仕切部材
【図１】
2006037482.tif 000003
【図２】
2006037482.tif 000004
【図３】
2006037482.tif 000005
【図４】
2006037482.tif 000006
【図５】
2006037482.tif 000007
【図６】
2006037482.tif 000008
【図７】
2006037482.tif 000009
【図８】
2006037482.tif 000010
【図９】
2006037482.tif 000011